(57)【要約】【課題】  容器本体内を、大掛かりな機材を要すること無く、容易且つ安全に充圧することができる訓練用消火器における充圧方法を得る。【解決手段】  水を充填した容器本体内を充圧して消火訓練を行う訓練用消火器における充圧方法であって、所定量の水を収容した容器本体内に、水中に溶かすことにより反応してガスを発生する２種類の薬剤を投入し、密封することにより、２種類の薬剤を水中で溶かし反応させてガスを発生させ、この発生したガスにより容器本体内を充圧するようにした。【選択図】なし【特許請求の範囲】
【請求項１】
水を充填した容器本体内を充圧して消火訓練を行う訓練用消火器おける充圧方法であって、所定量の水を収容した容器本体内に、水中に溶かすことにより反応してガスを発生する２種類の薬剤を投入し、密封することを特徴とする訓練用消火器における充圧方法。
【請求項２】
前記２種類の薬剤は、炭酸水素塩類と酸であることを特徴とする請求項１に記載の訓練用消火器における充圧方法。
【発明の詳細な説明】
【技術分野】
【０００１】
本発明は、水を充填した容器本体内を充圧して消火訓練を行う訓練用消火器における充圧方法に関する。
【背景技術】
【０００２】
従来、消火器を扱う消火訓練では、訓練現場で容器本体内に水と圧力媒体を充填して、訓練用消火器を繰り返し使用している。圧力媒体の充填にあって、圧縮空気や高圧ガスが使用され、容器本体内に所定量の水を充填した後、コンプレッサーで圧縮空気を充填し、或いは、高圧ガスボンベから高圧ガスを充填するといったことが知られている（（例えば、特許文献１参照。）。
【先行技術文献】
【特許文献】
【０００３】
【特許文献１】特開２００２−１４６０３号公報
【発明の概要】
【発明が解決しようとする課題】
【０００４】
上記のように、従来の消火器を扱う消火訓練で使用する訓練用消火器における圧力媒体の充填では、圧力媒体が圧縮空気である場合はコンプレッサーや接続器具などの機材が、また高圧ガスの場合は高圧ガスボンベや圧力調整器などの機材が使用されている。これらの機材はいずれも大掛かりな機材で、その取り扱いには専門的な知識が必要であり、誤った操作をすると破裂、ガスの噴出、部品の飛散などの危険が伴うといった問題があった。
【０００５】
本発明の目的は、容器本体内を、大掛かりな機材を要すること無く、容易且つ安全に充圧することができる訓練用消火器における充圧方法を提供することにある。
【課題を解決するための手段】
【０００６】
上記の目的を達成するために、請求項１に記載の発明は、水を充填した容器本体内を充圧して消火訓練を行う訓練用消火器における充圧方法であって、所定量の水を収容した容器本体内に、水中に溶かすことにより反応してガスを発生する２種類の薬剤を投入し、密封することを特徴とする。
【０００７】
請求項１に記載の発明によれば、所定量の水を収容した容器本体内に、水中に溶かすことにより反応してガスを発生する２種類の薬剤を投入し、密封することにより、水中で溶けた２種類の薬剤が反応してガスが発生し、この発生したガスにより容器本体内を充圧することができ、そして、大掛かりな機材などを必要とすること無く、容易に且つ安全に充圧することができる。
【０００８】
請求項２に記載の発明は、請求項１に記載の、前記２種類の薬剤は、炭酸水素塩類と酸であることを特徴とする。
【０００９】
請求項２に記載の発明によれば、前記２種類の薬剤は、炭酸水素塩類と酸であるので、訓練者の健康を損ねたり、環境を汚染するといったおそれはない。
【発明の効果】
【００１０】
本発明に係る訓練用消火器における充圧方法によれば、所定量の水を収容した容器本体内に、水中に溶かすことにより反応してガスを発生する２種類の薬剤を投入し、密封するといった簡単な方法で容器本体内を充圧することができるので、従来のように大掛かりな機材を必要とせず、また、専門的な知識のない者であっても、容易に且つ安全に充圧することができる。
【発明を実施するための形態】
【００１１】
以下、本発明に係る訓練用消火器における充圧方法の実施の形態の一例を詳細に説明する。
本例の訓練用消火器における充圧方法は、所定量の水を収容した容器本体内に、水中に溶かすことにより反応してガスを発生する２種類の薬剤を投入し、密封する。
２種類の薬剤にあっては、水中に溶かすことにより、酸・アルカリ反応でガスを発生するものであれば特に限定されないが、薬剤や、反応ガスが健康を損ねたり、環境を汚染するものないことが好ましい。
２種類の薬剤は、炭酸水素塩類と酸を組み合わせて使用する。炭酸水素塩類にあっては炭酸水素ナトリウムや重炭酸カルシウム、炭酸水素カリウム等、酸としてはクエン酸、酢酸、リン酸等が挙げられるがこれに限られない。
本例では、炭酸水素塩類として炭酸水素ナトリウムを、酸としてクエン酸を使用している。
【００１２】
投入する薬剤の量にあっては、反応して発生したガスが、容器本体の容積に応じ、反応が完了した時点で、容器本体からの水の放射に適切な圧力となる量に設定されている。
また、所定量の水を収容した容器本体内への２種類の薬剤の投入にあっては、それぞれの薬剤を粉末或いは顆粒とし、容器本体内へ投入し易いように、粉末状の薬剤を所定の量にオブラートで包み、或いは所定量の顆粒状の薬剤をタブレット状に成形して投入する。
【００１３】
本例では、先ず、一方の薬剤を容器本体内へ投入し、他方の薬剤を容器本体を密封する蓋体に備えられ容器本体に挿入されるサイフォン管の先端部に取り付けておき、容器本体に蓋体を取り付けることにより、他方の薬剤を容器本体内へ投入するようにしている。
このようにすることにより、容器本体が蓋体により密封されてから他方の薬剤が容器本体内の水に溶け、先に溶けている薬剤と反応するので、発生したガスが容器本体から漏れるおそれはない。
【００１４】
このように、本発明に係る訓練用消火器における充圧方法によれば、所定量の水を収容した容器本体内に、水中に溶かすことにより反応してガスを発生する２種類の薬剤を投入し、密封するようにしたので、水中で溶けた２種類の薬剤が反応してガスが発生し、この発生したガスにより容器本体内を充圧することができ、そして、大掛かりな機材などを必要とすること無く、容易に且つ安全に充圧することができる。
本例では、２種類の薬剤は、クエン酸と炭酸水素ナトリウムを使用したので、訓練者の健康を損ねたり、環境を汚染するといったおそれはない。
【００１５】
次に、本発明の具体的な実施の一例を説明する。
容器本体の容積が５３８５ｍｌの訓練用消火器を使用し、３０００ｍｌの水を充填する。このときの容器本体の充圧の目標圧力を０．７ＭＰａ＝７０００００Ｐａ＝７ａｔｍとする。
反応ガス（二酸化炭素）の発生量（体積）をＶとしたとき、
Ｖ／（５３８５−３０００）＝７
Ｖ＝１６６９５ｍｌ
となる。
二酸化炭素のモル数は、
１６６９５／２２４００＝０．７４５ｍｏｌ
０．７４５ｍｏｌ（３２．８ｇ）
となる。
【００１６】
容器本体内の充圧実験として、０．７４５ｍｏｌの二酸化炭素を出すために、炭酸水素ナトリウム０．７４５ｍｏｌ（７５ｇ）を前記した容器本体内に投入し３０００ｍｌの水に溶かし、０．７４５／３ｍｏｌ（４８ｇ）のクエン酸をオブラート袋５枚に小分けして容器本体内に投入し、即座に蓋体を取付密封した。
４分で容器本体に取り付けてある圧力計は、容器本体内の圧力が０．７ＭＰａ付近であることを示し、以降圧力の変化はなかった。７分後、容器本体から水を放射すると、放射距離２〜５ｍ、放射時間３７秒、継続して放射が続いた。